Podtech/llm-jp-corpus-v4-ja_patent huggingface dataset:
(57)【要約】      （修正有）【課題】手持ち帽子のつばに装着できて、顔との距離を保ち、丸めて持ち運べる着脱式フェイスシールドを提供する。【解決手段】透明シート上部の左右にクリップ２を設け、手持ちの帽子のつばなどに装着出来、顔とシートの間に空間を設けるようにし、丸めて携帯できる。【選択図】図１
0003228721.tif 000002
【実用新案登録請求の範囲】
【請求項１】
透明シート上部の左右にクリップを設け、手持ちの帽子のつばなどに装着出来、顔とシートの間に空間を設けるようにし、丸めて携帯できる着脱式フェイスシールド。
【考案の詳細な説明】
【考案の概要】
【考案が解決しようとする課題】
【０００１】  従来のフェイスシールドは、頭に直接つけるため、顔とシートの間隔が狭くなる、その欠点を解決しようとするものである。
【課題を解決しようとする手段】
【０００２】  手持ちの帽子のつばに装着できることで、顔との距離を保ち、シート状なので丸めて持ち運べるようにし、問題を解決している。
【考案の効果】
【０００３】  上述のように、本考案の着脱式フェイスシールドは、コロナウイルス対策である飛沫拡散防止を保持し、持ち運べ、野球の応援などを楽しめるアイテムとして役立つ。
【図面の簡単な説明】
【０００４】
【図１】着脱式フェイスシールド装着時の側面図である。
【図２】本フェイスシールドの正面図である。
【符号の説明】
【０００５】１  フェイスシールド本体
２  着脱用クリップ
３  滑り止めテープ
４  装飾用マスキングテープ
【図１】
0003228721.tif 000003
【図２】
0003228721.tif 000004
(57)【要約】      （修正有）【課題】天然石シートの市場を拡大させる天然石シートを提供する。【解決手段】天然石シートの表面側にインクジェットなどの印刷によって指定した模様、柄、肖像画、絵画、写真などの画像を転写させる。それにより、天然石という自然の表面に任意の人工的な色彩をもつプリントが施された新しい製品が完成する。【選択図】図３
0003228772.tif 000002
【実用新案登録請求の範囲】
【請求項１】
インクジェットなどによる印刷が施されているプリント体が転写されていることを特徴とする天然石シート。
【考案の詳細な説明】
【技術分野】
【０００１】本考案は  印刷によって模様、柄、肖像画、絵画、写真などの画像を天然石シート表面に転写させたプリント付き天然石シートに関するものである。
【背景技術】
【０００２】現在市場に存在する天然石シートは表面が天然石で構成されている。
そのためシートは天然石の色彩のみで覆われている。
印刷により天然石に人工的な色彩を加えている製品は存在しなかった。
【先行技術文献】
【０００３】
【特許文献】
【特許文献】インクジェット  特開平０８−０５２９３３
【考案の概要】
【考案が解決しようとする課題】
【０００４】天然石シートの表面側は  天然石で覆われているため天然色だけの色彩となっている。そのため  天然石に興味を持たれる市場への供給となっており市場規模もそれに伴うものであった。
したがって  印刷により人工的な色彩を加えたプリント付き天然石シートは  天然石シートの市場を拡大させるものとなる。
【課題を解決するための手段】
【０００５】天然石シートの表面側にインクジェットなどの印刷によって  指定した画像を転写させる。
それにより  天然石という自然の表面に任意の人工的な色彩をもつプリントが施された新しい製品が完成する。
【考案の効果】
【０００６】天然石シートの供給者はそのプリント内容を独自の特徴として本製品を販売することが可能となる。
【図面の簡単な説明】
【０００７】
【図１】天然石シートの構造図
【図２】天然石シートの表面色彩
【図３】プリント付き天然石シート表面
【産業上の利用可能性】
【０００８】本考案のプリント付き天然石シートは  新しい内装材、家具の表面材だけでなく  単体においても雑貨用として使うことができると考えられる。
【図１】
0003228772.tif 000003
【図２】
0003228772.tif 000004
【図３】
0003228772.tif 000005
(57)【要約】      （修正有）【課題】雨天時に室内の採光や換気を保ったまま、雨の降り込みを防止し、且つ、美観も損ねず、コストも抑えられる換気・採光・取り外し機能付き雨天時降り込み防止網戸を提供する。【解決手段】網戸の一部に透明アクリル板２を取り付けることにより、一番の目的である雨の降り込み防止と換気を同時に行いながら、室内の明るさを保ったり、コストを抑えたりすることも可能にした。また、アクリル板の強度を生かし、脱着をネジ２本のみで簡単に行うようにしたため、すっきりとした外観となり、手入れも容易になり、美しさや清潔を保ちやすくなった。【選択図】図３
0003228777.tif 000002
【実用新案登録請求の範囲】
【請求項１】
窓用網戸の一部に脱着可能な透明アクリル板を取り付けることにより、常時換気機能と採光機能を保持しながら、雨が横から吹き付けるように降る際には雨水の降り込みを防ぐことができ、さらに清掃時には板を網戸から外すこともできるようにしたところを特徴とする換気・採光・取り外し機能付き雨天時降り込み防止網戸
【考案の詳細な説明】
【技術分野】
【０００１】  本考案は、一部にアクリル板を取り付けた、雨天時降り込み防止網戸に関するものである。
【背景技術】
【０００２】  従来の窓用雨除けは、窓枠や網戸に雨除けブラインドパネルを取り付けていた。
【先行技術文献】
【特許文献】
【０００３】
【特許文献１】特開２０１６−１２１５１７号  公報
【考案の概要】
【考案が解決しようとする課題】
【０００４】  雨が降り込む際、室内が水浸しになることがある。これを防ぐために、従来は窓枠や網戸に取り付ける雨除けブラインドパネルがあったが、コストがかかり、且つ、外観が損ねられたり採光が妨げられたりしていた。また、清掃にも手間がかかるものであった。
【課題を解決するための手段】
【０００５】  本考案は網戸の一部に透明アクリル板を取り付けることで、上述の課題点を解決している。
【考案の効果】
【０００６】  本考案の換気・採光機能付き雨天時降り込み防止網戸は、アクリル板が透明であることにより、外観の美しさも採光機能も損なう心配がない。また、加工の手間も少ないため、コストも抑えられる。また、通常の雨であれば、降り込み防止と換気を同時に期待することもできる。そして、取り付けられている板は平面であり、軽くて丈夫なため、清掃の手間も大幅に軽減される。
【図面の簡単な説明】
【０００７】
【図１】アクリル板付き網戸取り付け時に、室内から見た正面図
【図２】アクリル板付き網戸取り付け時に、外側から見た正面図
【図３】アクリル板付き網戸取り付け時に、上部から見た空気の流れ図
【図４】アクリル板取り付け時の網戸を上から見た図（上が室内・下が外側）
【図５】アクリル板取り付け時の網戸を横から見た一部切欠断面図
【図６】アクリル板取り付け部分の一部切欠見取り図
【考案を実施するための形態】
【０００８】  以下、本発明の実施の形態を説明する。
（イ）本発明はアクリル板がついている状態の網戸そのものを指す。透明度が高いため室内を明るく保ち、軽くて丈夫で安全。しかもコストも抑えられる。さらに、溝を網戸のサッシ枠内に作ることや取り付け部分にアクリル板と皿ネジを使用すること［図４］［図５］によって、すっきりとした外観［図１］［図２］を保ったまま、清掃のための脱着機能も兼ね備えている。換気しながら降り込み防止ができる実用性に加え、アクリル板の良さを十分に生かした発明である。
（ロ）本発明のアクリル板付き網戸を通常通り窓に取り付け、［図３］のように室内側から見て右側のガラス戸（４ｂ）をアクリル板（２）のついている部分に少し重なる程度の位置に開いておくと、横から吹き付けるような風雨が外から窓に吹き付けるような場合でも、風は（６ａ）（６ｂ）のように室内に流れ込むが、雨水は左のガラス戸（４ａ）や右のガラス戸（４ｂ）やアクリル板（２）に妨げられるため、室内には降り込むことはない。また、空気は内と外を自由に行き来し、室内の換気が常に行われている状態を保つことになる。
（ハ）アクリル板は、［図４］における溝（７）にはめ込み、［図５］における皿ネジ（８ａ・８ｂ）で固定して使用され、使用時に動かすことはない。清掃時には皿ネジ（８ａ・８ｂ）を外し、溝（７）からアクリル板を抜いて網戸から外す。
【符号の説明】
【０００９】  １    網戸の網
２    透明アクリル板
３ａ  アクリル板付き網戸を室内から見た場合の網戸サッシ左枠
３ｂ  アクリル板付き網戸を室内から見た場合の網戸サッシ右枠
３ｃ  アクリル板付き網戸を室内から見た場合の網戸サッシ上枠
３ｄ  アクリル板付き網戸を室内から見た場合の網戸サッシ下枠
４ａ  室内から見た場合の左側ガラス戸
４ｂ  室内から見た場合の右側ガラス戸
５ａ  室内から見た場合の窓枠左側
５ｂ  室内から見た場合の窓枠右側
６ａ  風（空気）の流れ
６ｂ  風（空気）の流れ
７    アクリル板を固定するために差し込む網戸サッシ側の溝（３ｂのアクリル板取り        付け部上から下まで）
８ａ  アクリル板を上枠（３ｃ）に固定するための皿ネジ
８ｂ  アクリル板を下枠（３ｄ）に固定するための皿ネジ
９ａ  アクリル板（２）を補強するためのアクリル板（室内側）
９ｂ  アクリル板を網戸サッシに固定するためのアクリル板
９ｃ  アクリル板を補強するためのアクリル板（室外側）
【図１】
0003228777.tif 000003
【図２】
0003228777.tif 000004
【図３】
0003228777.tif 000005
【図４】
0003228777.tif 000006
【図５】
0003228777.tif 000007
【図６】
0003228777.tif 000008
(57)【要約】      （修正有）【課題】ファッション性を重視することで、一般人、とりわけ若者の購買意欲を刺激して商品価値を高めることができるフェースシールド及びフェースシールド用図柄シートを提供する。【解決手段】フェースシールド用図柄シート２０は、パンチングシートに図柄を印刷して製作する。図柄シートをシールドの本体１１に貼り付けても、フェースシールドの装着者は多数の小孔を通して周囲を透視でき、図柄シートによって視界が遮られることはない。様々な図柄をパンチングシートに印刷してフェースシールド用図柄シートを作成し、シールド本体に貼り付けることで、フェースシールドのファッション性を高めることができ、消費者の購買意欲を刺激して商品価値を高めることができる。【選択図】図１
0003228798.tif 000002
【実用新案登録請求の範囲】
【請求項１】
透明で可撓性を有するプラスチックシート材から成り、顔面を覆うように装着されるフェースシールドであって、
多数の小孔を形成したパンチングシートに図柄を印刷した図柄シートを表面又は裏面に貼り付けたことを特徴とするフェースシールド。
【請求項２】
透明で可撓性を有するプラスチックシート材から成り、顔面を覆うように装着されるフェースシールドの表面又は裏面に貼り付けて使用するフェースシールド用図柄シートであって、多数の小孔を形成したパンチングシートに図柄を印刷したことを特徴とするフェースシールド用図柄シート。
【考案の詳細な説明】
【技術分野】
【０００１】
本考案はフェースシールド及びフェースシールド用図柄シートに関する。
【背景技術】
【０００２】
一般に、フェースシールドは透明で可撓性を有するプラスチックシート材から成り、歯科、眼科、耳鼻咽喉科など、患者の顔に近づいて診察しなければならない医療従事者を守るため、顔面に装着して使用される。
【０００３】
近時、市中で新型コロナウィルスへの感染の広がりが継続するなか、医療従事者だけでなく、感染防止のためマスクに代えて、若しくはマスクとともにフェースシールドを装着する一般人が増加している。
【先行技術文献】
【特許文献】
【０００４】
【特許文献１】再公表特許ＷＯ２０１６／１２５５５１
【考案の概要】
【考案が解決しようとする課題】
【０００５】
ところで、従来のフェースシールドは、専ら感染防止の手段としての機能を重視して製作され、ファッション性はほとんど考慮されていない。
本考案はかかる点に鑑み、ファッション性を重視することで、一般人、とりわけ若者の購買意欲を刺激して商品価値を高めることができるフェースシールド及びフェースシールド用図柄シートを提供することを目的とする。
【課題を解決するための手段】
【０００６】
請求項１に記載の考案は、透明で可撓性を有するプラスチックシート材から成り、顔面を覆うように装着されるフェースシールドであって、
多数の小孔を形成したパンチングシートに図柄を印刷した図柄シートを表面又は裏面に貼り付けたことを特徴とする。
【０００７】
請求項２に記載の考案は、透明で可撓性を有するプラスチックシート材から成り、顔面を覆うように装着されるフェースシールドの表面又は裏面に貼り付けて使用するフェースシールド用図柄シートであって、多数の小孔を形成したパンチングシートに図柄を印刷したことを特徴とする。
【考案の効果】
【０００８】
本考案に係るフェースシールド用図柄シートは、パンチングシートに図柄を印刷したので、図柄シートをフェースシールドに貼り付けても、フェースシールドの装着者は多数の小孔を通して周囲を透視でき、図柄シートによって視界が遮られることはない。
【０００９】
そこで、様々な図柄をパンチングシートに印刷し、この図柄シートをフェースシールドに貼り付けることで、フェースシールドのファッション性を高めることができるので、消費者の購買意欲を刺激して商品価値を高めることができる。
【図面の簡単な説明】
【００１０】
【図１】本発明の一実施例に係るフェースシールドとフェースシールド用図柄シートを示す斜視図である。
【図２】同フェースシールドとフェースシールド用図柄シートを示す斜視図である。
【図３】図２の２点鎖線で囲った部分の拡大図である。
【実施例】
【００１１】
以下に本発明を説明する。図１及び図２には本発明の一実施例に係るフェースシールド１０及びフェースシールド用図柄シート２０が示されている。フェースシールド１０はＰＥＴ（ポリエチレンテレフタレート）シート等の透明で可撓性を有するプラスチックシートで製作したシールド本体１１と、シールド本体１１の上部に取り付けた耳掛けフレーム１２及びシールド本体１１の表面に貼り付けたフェースシールド用図柄シート２０で構成されている。
【００１２】
フェースシールド用図柄シート２０は、ビニールシートや、ＰＴＦＥ（ポリテトラフルオロエチレン）シート等のプラスチックフィルムから成り、表面には例えば、猫の図柄が印刷されている。このフェースシールド用図柄シート２０にはパンチングシートが用いられており、図３に拡大して図示するように、多数の小孔２１が形成されている。
【００１３】
本実施例に係るフェースシールド１０及びフェースシールド用図柄シート２０の構成は以上の通りであって、フェースシールド用図柄シート２０は、パンチングシートに図柄を印刷したので、図柄シート２０をシールドの本体１１に貼り付けても、フェースシールド１０の装着者は多数の小孔２１を通して周囲を透視でき、図柄シート２０によって視界が遮られることはない。
【００１４】
そこで、様々な図柄をパンチングシートに印刷してフェースシールド用図柄シート２０を作成し、この図柄シート２０をシールド本体１１に貼り付けることで、フェースシールド１０のファッション性を高めることができるので、消費者の購買意欲を刺激して商品価値を高めることができる。
【符号の説明】
【００１５】
１０…フェースシールド
１１…シールド本体
１２…耳掛けフレーム
２０…フェースシールド用図柄シート
２１…小孔
【図１】
0003228798.tif 000003
【図２】
0003228798.tif 000004
【図３】
0003228798.tif 000005
(57)【要約】      （修正有）【課題】ワンルームマンションや一部屋アパートの部屋を広く使用できる動力上昇ベッドを提供する。【解決手段】動力上昇ベッドは、ベッド本体１と、電動モーター５と、ワイヤー１２と、ベアリングセット１０からなり、ベッド本体１と電動モーター５をワイヤー１２で接続し、ベッド本体１を上下動させる。ベッド本体１を上昇させる事で、かたづけの物置としても使用できる。ベッド本体１を中断停止させる事で、ロフトベットにして使用できる。ベッド本体１を上昇させることで空間が広く感ずることができ快適である。【選択図】図１
0003228762.tif 000002
【実用新案登録請求の範囲】
【請求項１】
通常ベッドは床の上に固定するものですが、小さい部屋だと、またアパート、マンションだと、とても狭いです。友達が来てもベッドがあるから片づけられません。ベッドを電動式にして、上昇機能を持たせて小さな部屋でも広く感ずる事ができます。又、ベッドの分広くなります。
【請求項２】
ベッドを上昇停止させ、停止状態でロフト式ベッドとして使用するその場合は、はしご（梯）を取付ける。
【考案の詳細な説明】
【技術分野】
【０００１】  本案は室内ベッドの存在を上昇させる事で、部屋の広さを解消した
【背景技術】
【０００２】  ベッドは電動モーターで上昇させることで解決した
部屋を広く使用したい場合は、上昇して停止、ロフトベッドとしても使用可能である
【先行技術文献】
【特許文献】
【０００３】
【特許文献１】
【非特許文献】
【０００４】
【非特許文献１】
【考案の概要】
【考案が解決しようとする課題】
【０００５】  ベッドは横には移動できますが、上昇は電動モーターでワイヤーを巻取りながら上昇していきます。部屋の壁面にコ字型の柱が合計６本立ってますがこれが上昇加道レールになります。電動モーターとコ字立てレールでベッドを持ち上げ上昇に至っています。
【課題を解決するための手段】
【０００６】  本考案は部屋にベッドのスペースを無くす事ができなかった本来の考えを常識を非常識に変えた発想だと思います。上昇させて安全ピンを入れてロフトベッドとしても使用できます。その場合ははしごが必要です。
ワンルームマンション用、一部屋アパート用、部屋が狭いのを解決するものです。
【考案の効果】
【０００７】  上記の様に本考案は部屋の面積を増幅し、ベッドを上昇すればベッド分床面積が拡大します。お客様が来た時でも、片づける物をベッドの上に入れて上昇して隠すことができ、一時的な物置、保管場所にもなります。
又、ロフトベッドも快適だと思います。
【図面の簡単な説明】
【０００８】
【図１】本考案を前面からベッド横後方を分かりやすく、見当図を作成してみました
【図２】１及び２は本考案の心臓部、巻取りモーターと巻取りベアリングキットです  図２−１は巻取りモーターとベアリングキットのバランスが巻取りを円滑にします  図２−２は誘導チャンネルとベアリングキットを通るワイヤーの加重負担の軽減のための設計です。
【規格を考案する為の形態】
【０００９】  本考案は今後、マンション、アパートのワンルームに採用される事だと思います。
ベッドは２，７３０×９１０用と企画タイプなので。ベッドの方板２，７３０で作って保管モーター（ＡＣ１００Ｖ５０／６０ＨＺ２８０Ｗ）２ヶ取付完了。
【実施例】
【００１０】  以下添付図面に従って一実施例を説明する。
強度、巻取りモーターの回転とベアリングキットの高さの円滑を克服した。【００１１】  本考案取付けは作成場所にベッドを設置して誘導チャンネル３、２を取付ける
特に大事なのは誘導チャンネル３と荷重を受けるコーチスクリューの取付けである。
６ｍ／ｍワイヤーのコーチスクリュー取付けはワイヤー編み込みとする。
ベッドをセットしてベッド中央のワイヤー巻取りカムに、レベルをセットして３の中心、コーチスクリューの位置を決めて、電動配線も同時に工事に入る。
【符号の説明】
【００１２】（図１）  １．ベッド本体２，７３０×９１０企画（Ｈ３５０）  全体加重５０ｋｇ
２．ベッド誘導チャンネル５０×５０×０．５
３．同様引上げワイヤーの誘導通路となる
４．ベッド上昇時安全停止ピン、手動差し込み式とする。停止２カ所可能
５．電動モーターＡＣ１００Ｖ５０／６０ＨＺ８０Ｗ−２ケ、モーター同時ス              イチ
６．安全センサー、上下停止センサー両方同時センサー
７．ベッド上下、コントロールスイッチ
８．プリント合板９１０×３００×０．５＝１枚（巻込み防止板）ベッドに取              付け
９．コーチスクリューＷ６０ｍ／ｍφ９ｍ／ｍ
１０．ベアリングキット盤
１１．図２−２
１２．ワイヤー６ｍ／ｍ
（図２−１）  ３Ａ．ワイヤーの誘導通路
５Ａ．電動モーターＡＣ１００Ｖ５０／６０Ｈｚ８０Ｗ
１０Ａ．ベアリングキット盤セット
１２Ａ．ワイヤー６ｍ／ｍ
１３．モーター軸
１４．モーター基台
１５．φ６ｍ／ｍボルト
１６．φ８ｍ／ｍボルト
１７．φ５ｍ／ｍビス
（図２−２）  ３Ａ．ワイヤーの誘導通路３
１０Ａ．ベアリングキット盤セット
１２Ａ．ワイヤー６ｍ／ｍ
１６Ａ．φ８ｍ／ｍボルト
１７Ａ．φ５ｍ／ｍビス
【図１】
0003228762.tif 000003
【図２−１】
0003228762.tif 000004
【図２−２】
0003228762.tif 000005
【手続補正書】
【提出日】令和2年7月9日(2020.7.9)
【手続補正１】
【補正対象書類名】実用新案登録請求の範囲
【補正対象項目名】全文
【補正方法】変更
【補正の内容】
【実用新案登録請求の範囲】
【請求項１】
ベッド本体と、電動モーターと、ワイヤーと、ベアリングキットからなり、ベッド本体と電動モーターをワイヤーで接続し、ベッド本体を上下動することを特徴とした動力式上昇ベッド。
【請求項２】
ベッド本体を低速の電動モーターで上昇させ、途中で停止させることで、ロフトベッドとして使用可能な、請求項１に記載されている上昇ベッド。
(57)【要約】      （修正有）【課題】フラットマンドリン類の各弦の音程の狂いを、弦巻きペグによる調弦に比してより素早くかつ容易に正しい音程に調整する事ができる弦止めテールピースを提供する。【解決手段】フラットマンドリン類の音程調整機構を有するテールピース２であり、弦止め部位６に金属管４を配し、金属管に対して調整ねじ３の先端が接する構造として、調整ねじを締め付ける事によって金属管を加圧し緩める事によって金属管を減圧することにより、金属管を通る弦の張力を変化させて弦の音程を微調整する。【選択図】図１
0003228761.tif 000002
【実用新案登録請求の範囲】
【請求項１】
フラットマンドリン類の弦止めテールピースに設けた音程調整機構の構造。
【考案の詳細な説明】
【技術分野】
【０００１】
本考案は、フラットマンドリン類の弦止め装置であるテールピースの音程微調整機構に関するものである
【背景技術】
【０００２】
フラットマンドリン、フラットマンドラ、フラットマンドセロ(以下フラットマンドリン類)は１弦２本、２弦２本、３弦２本、４弦２本を調弦し、ピックによって演奏する複弦楽器であるが、各弦の間隔は２ミリメートルから３ミリメートルと狭いが為に、既存するバイオリンのテールピース部分に取り付ける音程微調整機構を有する部品を装着する事は不可能であった。
【考案の概要】
【考案が解決しようとする課題】
【０００３】
解決しようとする課題は、フラットマンドリン類の演奏による各弦の音程の狂いを、テールピースに装着した音程微調整機能により、弦巻きペグによる調弦に比してより素早くかつ容易に正しい音程に調整する事を可能となす事である。
【課題を解決するための手段】
【０００４】
本考案は８本の弦を有するフラットマンドリンに於いて、その弦止めテールピースに設ける音程微調整機構であり、各弦の全ては弦止め突起より弦巻きペグに弦を張る途中に各弦を金属管に通して保持させ、その金属管の上部を被う金属板に設けた調整ネジにより加圧、減圧する事で演奏時に変化する各弦の音程の狂いを微調整する機能を付加する事を主要な特徴とする。
【考案の効果】
【０００５】
本考案の弦止めテールピースに設けた音程微調整機構により、フラットマンドリン類の弦の音程の変化に対して、ヒールに付属されたネック取り付け角度調整機構により、簡便に高すぎる音程を下げ、もしくは低すぎる音程を上げる事を可能として、演奏者の音程調節を容易とする事を提供する。
【図面の簡単な説明】
【０００６】
【図１】図１フラットマンドリン類の音程微調整機構の構造断面図である。
【図２】図２はフラットマンドリンの全体斜視図であり音程微調整機構を備えた弦止めテールピースの設置図である。
【図３】図３は調整ネジにより音程調整の実施方法を示した説明図であり音程を上げる例を示すものである。（実施例１）
【図４】図４調整ネジにより音程調整の実施方法を示した説明図であり音程を下げる例を示すものである。（実施例２）
【考案を実施するための形態】
【０００７】
各弦を通した金属管を構造体である金属管を被う金属板に金属管を上下に動作させる調整ネジを設置し、ネジの締め付けより金属管を押し下げ、この金属管に通された弦も押し下がる事で弦の音程を上げる効果をもたらし、逆に調整ネジを緩める事で金属管とその金属管に通された弦が上方に移動する効果をもたらす事で弦の音程を下げる微調整を実現した。
【実施例】
【０００８】
図１は音程微調整機構を備えた弦止めテールピースの全体断面図であって、弦を通した金属管を弦止めテールピースの構造体である金属板に設けた調整ネジの締め付け、締め戻しにより上下させる機構の構造図であり、２の弦は３の弦通し金属管により保持され４の調整ネジは３の弦通し金属管の上部に設置され、この調整ネジの先端が弦止め金属管に接し、調整ネジの締め付け、締め戻しによる上下の作用が金属管の上下作用をもたらす事で弦の張力を変化させ音程の微調整効果がももたらされる事を示すものである。
【０００９】
図２はフラットマンドリン類の斜視図であり、各弦２本ずつ合計８本の弦が張られ、弦止めテールピースによりその弦を保持し、テールピースに設置した各弦毎の調整ネジ８個の配置を示すものである。
【００１０】
図３（実施例１）は音程を上げる調整であり２の弦が通された金属管を調整ネジの締め付けにより金属管とその内部に通された弦が押し下げられ、弦の張力が増加し、弦の音程を上げる効果がもたらされる構造を示すものである。
【００１１】
図４（実施例２）は音程を下げる調整であり２の弦が通された金属管を調整ネジの緩ませにより金属管とその内部に通された弦が、その弦の持つ張力により自然に押し上げられ、弦の張力が減少しし、弦の音程を下げる効果がもたらされる構造を示すものである。
【符号の説明】
【００１２】
１  フラットマンドリン類の楽器本体
２  弦止めテールピース
３  調整ねじ
４  金属管
５  弦
６  弦止め
７  ブリッジ
８  ネック
【図１】
0003228761.tif 000003
【図２】
0003228761.tif 000004
【図３】
0003228761.tif 000005
【図４】
0003228761.tif 000006
【手続補正書】
【提出日】令和2年8月5日(2020.8.5)
【手続補正１】
【補正対象書類名】実用新案登録請求の範囲
【補正対象項目名】全文
【補正方法】変更
【補正の内容】
【実用新案登録請求の範囲】
【請求項１】
フラットマンドリン類の音程調整機構であり、弦止め部位に金属管を配し、この金属管に対してねじ先端が接する構造として、調整ねじを締め付ける事によって金属管を加圧し緩める事によって金属管を減圧する機能を備えることにより、金属管を通ずる弦の張力を変化させて弦の音程を微調整する構造を有する弦止めテールピース。
(57)【要約】      （修正有）【課題】持続冷感素材を用い、熱射から頭部温度上昇による負荷を軽減する持続冷感帽子を提供する。【解決手段】身体から発する熱を吸汗吸熱し、最低温度値の持続性を高め、頭部の温熱性発汗部を完全に補完するために、帽子１を構成する各パーツの縫合部分に持続冷感素材を用い、温熱性発汗部の接触箇所に縫合した。【選択図】図１
0003228763.tif 000002
【実用新案登録請求の範囲】
【請求項１】
帽子１において、帽子１を構成する各パーツの縫合部分に持続冷感素材をもちい、温熱性発汗部の接触箇所に縫合したことを特徴とする持続冷感帽子。
【考案の詳細な説明】
【０００１】  本考案は、帽子を構成する各パーツ部分の冷感素材を、前額部を含む頭部に配置し、縫合することで、人体の頭部に受ける熱射による頭皮温度の上昇を補完せしめ、その素材が有する特性を用い、汗の放出や、水に浸すことにより、吸汗吸熱反応を起こす持続冷感機能効果で、熱射負荷を軽減し、リラクリゼーションを促進する帽子に関するものである。
【背景技術】
【０００２】  従来技術においては、販売実施における接触冷感素材は、販売説明表記の通り、触れた時のみに冷たく感じる冷感性であり、浸水冷感帽子はあるも、吸汗浸水の状態において、持続冷感機能を実施した形態が存在していなかった。
本発明は、薄くて軽くソフトな持続冷感素材を温熱性発汗部、全てに配置し縫合を施した帽子である。
【考案の概要】
【考案が解決しようとする課題】
【０００３】  従来の技術によれば、頭部と前額部の温熱性発汗部に合わせて熱射に対する補完を実施したものではなく、冷感素材を頭部表側のみに縫合したもの、又は、首後ろ部分にパーツカバーを取り付けたものであり、水に浸すと体積比重が重くなり、頸部に負荷が掛かるために、薄くて軽く、ソフトな持続冷感加工帽子が課題となっていた。
さらに、水に浸すと冷感を得るが、最低温度値が長く続く持続冷感機能が課題となっていた。
【課題を解決するための手段】
【０００４】  前記の課題を解決するために、考案者は水に溶解する際に熱を奪う性質があるキシリトールを糸に練りこんで吸汗吸熱反応の原理を利用することで、身体から発する汗を吸収すると涼しくなる持続冷感素材が存在することに着目し、これらの素材を用い、頭部の温熱性発汗部に各パーツを配置することにより、熱射からの頭皮温度の上昇を補完することが出来ると考え、もって課題である表面のみの効果を、温熱発汗部全体に持たせ頭部をサポートすることにより、冷感効果を発生させ持続時間が長く続く手段を考案した。
【考案の効果】
【０００５】  本考案によれば、冷感を得るために帽子を着用する際、触れた時だけ冷感を感じる素材や、水に浸すも体積比重が重く、冷感時間効果が短い帽子に比べ、汗を掻くと涼しくなる持続冷感と軽量素材の相乗効果で子供や高齢者及び、体力弱者の常用頻度が高まり、頭部全体の熱射負荷を軽減する効果がある。
【図面の簡単な説明】
【０００６】
【図１】  本考案の帽子、前面と温熱発汗部との接触箇所に縫合の実施例を示す頭部帽子断面図である。
【図２】  本考案の帽子、後面と温熱発汗部との接触箇所に縫合の実施例を示す頭部帽子断面図である。
【図３】  本考案の帽子、左側面と温熱発汗部との接触箇所に縫合の実施例を示す頭部帽子断面図である。
【図４】  本考案の帽子、右側面と温熱発汗部との接触箇所に縫合の実施例を示す頭部帽子断面図である。
【図５】  本考案の帽子、裏面にテープ加工を施し、温熱発汗部との接触箇所に配置し縫合の実施例を示す帽子裏側の断面図である。
【考案を実施するための形態】
【０００７】  いわゆる地球環境による温暖化現象の影響課題の中、登下校時の子供やスポーツ観戦等における熱暑補完の観点からも、夏の熱射温度から身体を守るための対策が必要とされ、一部高額な対応商材があるも体力弱者への普及には至らず、熱暑による体力補完対策が望まれている。
縫合形態は、持続冷感素材を頭部の温熱性発汗部全てにパーツを配置し、縫合を施したものである。
本考案はこれらの問題を解決するための持続冷感機能を有する開発手段。
【実施例】
【０００８】  本考案を実施例について説明すれば、１は冷感帽子の前面、２は後面、３は左側面、４は右側面、５は裏面、前額部を含む頭部全ての温熱発汗部との接触箇所に持続冷感素材を配置し縫合を示したものであり、６は持続冷感の最低温度値データー。
【産業上の利用可能性】
【０００９】  本考案は、帽子を構成する各パーツ部分の持続冷感素材を、温熱発汗部との接触箇所に縫合することにより冷感機能が発生し、発汗を繰り返しても冷感機能は継続し、熱射負荷を軽減することによって、汗を掻くと涼しく感じる冷感効果的作用が実現する。
【符号の説明】
【００１０】１    持続冷感素材のパーツ配置位置
２    持続冷感素材のパーツ配置位置
３    持続冷感素材のパーツ配置位置
４    持続冷感素材のパーツ配置位置
５    持続冷感素材のパーツ配置位置
６    持続冷感素材のパーツ配置位置
７    持続冷感素材のパーツ配置位置
８    持続冷感素材のパーツ配置位置
９    持続冷感素材のパーツ配置位置
１０  持続冷感素材のパーツ配置位置
１１  持続冷感素材のパーツ配置位置
１２  持続冷感素材のパーツ配置位置
【図１】
0003228763.tif 000003
【図２】
0003228763.tif 000004
【図３】
0003228763.tif 000005
【図４】
0003228763.tif 000006
【図５】
0003228763.tif 000007
(57)【要約】      （修正有）【課題】回転させることで、より多くの洋服をクローゼットに収納できる電動回転ハンガーを提供する。【解決手段】左右一対の電動モーター１と、左右一対の回転チェーン２と、左右一対の回転チェーンに平行に固定したハンガーポール５からなり、平行なハンガーポールが左右一対のチェーンの回転に同期して回転する。【選択図】図１
0003228764.tif 000002
【実用新案登録請求の範囲】
【請求項１】
現在使用中の押入れ又はクローゼットの戸を４５０ｍ／ｍ前に出す事で押入れの中が広くなったので、電動モーターで４本のハンガーポールを回転させることで、春物、夏物、秋物、冬物を自分の目の前で取り出す事ができます。
回転は前回り一方回転です。スイッチは止と前回りです。
【考案の詳細な説明】
【技術分野】
【０００１】  本考案はハンガーを回転させることで、より多くの洋服を大切にハンガーに収納ができます。
【背景技術】
【０００２】  回転させる事で、クローゼット内部の湿気の除去と空気の入れ替えが容易である。回転するので余計な物を入れないので、スッキリしている。
回転も低速で１分で１回転です。かなりスローです。
ギヤモーターの確立と、２ヶのモーターの同時回転です。
チェーンは全長の１／４間隔です（４本ハンガーだから）
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  本考案は現代社会は洋服の社会です。洋服はハンガーに掛けと正規の洋服です。たたむとしわになります。洋服はハンガーに掛けるスペースが２倍になったという事です。季節ごとのハンガーが回転して自分の目の前に洋服がきてくれます。
【課題を解決するための手段】
【０００６】  箱や収納トレーに入っている洋服をハンガーに掛ける事ができた普通のクローゼットは中央にハンガーポールは１本しかありません。クローゼットの扉を４５０ｍ／ｍ前に移設する事でハンガーポールを下列横２本、上列横２本、合計４本のハンガーポールを新設する事ができた。それを電動で回転させる事で新案として確立する事ができた。
【考案の効果】
【０００７】  本考案はこれからの新築住宅建築に採用される事は間違いありません。又、今住んでいる押入れを電動回転ハンガーに改築工事の増加も望めます。この回転ハンガーは現代社会において、衛生面からしても社内の空気の流動性はこのましく、回転させる事で洋服も一般的空気にふれる事ができ臭いもつかず毎日着てる洋服と同じ空気感です。
【図面の簡単な説明】
【０００８】
【図１】本考案は、クローゼット室の内部を斜め上から見た感じの図面です
【図２−１】本考案は１／４チェーンを回転させる事でのクローゼット内部のイメージを変えた
【図２−２】本考案の第２の心臓部である回転サポートベアリングの容易な回転が必要です。
【図３】本考案の第１心臓部低速モーターと、歯車、チェーンとハンガーポールジョイナーのモーターは壁と天井のビスで固定する事で回転チェーンの流れが容易である。
【考案を実施する為の形態】
【０００９】  本考案は、当社は住宅会社である、山形の事務所で作成してチェーンの回転は両方共同時スイッチでハンガーポールの高さの誤差の調整とかハンガーポールジョイナの位置調整も終り令和２年５月末には一号が完成予定です。安全面では回転チェーンを一段奥に入れる事で解決を果たした
【実施例】
【００１０】  本考案は図１の通り１モーターと回転チェーンと５．ハンガーポールとの誤差調整が難しく、解決に結びつけた。一番に考えたのは安全性である。４に加重がかかれば停止する。回転チェーンは一段奥に入っているので手は届かない、見えないを解決した。【００１１】  本考案の２回転チェーンの巻き込み防止カバーを取り付ける事で安全性を強固にした。又、加重センサーの取付で二重の安全性で安心感を確保できた。
【符号の説明】
【００１２】［図１］
１    モーターＡＣ１００Ｖ５０／６０Ｈ２８０Ｗ．ギヤモーター
２    回転チェーン
３    回転歯車
４    回転サポートベアリング
５    ハンガーポール
６    洋服ハンガー
７    クローゼット内部線
８    スイッチ．止．回る（前回り一方行回転）
［図２−１］
１    回転チェーン固定盤ベニヤ２４ｍ／ｍ
２    モーター、天井固定盤
３    モーター本体固定金具
４    モーター本体  ＡＣ１００Ｖ５０／６０Ｈ２８０．ギヤモーター
５    モーター本体固定基盤にΦ９ｍ／ｍボルト
６    ハンガーポールΦ３０ｍ／ｍ
７    回転サポートベアリング
８    回転チェーン
［図２−２］
９    回転サポートベアリングΦ９ｍ／ｍボルト止
１０  回転チェーン
１１  回転チェーン、ハンガーポールジョイナー金具
１２  １．５／１０勾配、ベアリングとチェーンの接点図
［図３］
１    回転チェーン、ハンガーポールジョイナー金具
２    ハンガーポールΦ３０ｍ／ｍ
３    回転チェーン
４    回転歯車
５    モーター本体  ＡＣ１００Ｖ５０／６０Ｈ２８０．ギヤモーター
６    モーター本体固定基盤にΦ９ｍ／ｍボルト止
７    固定ボルトΦ９ｍ／ｍ
８    固定基盤ベニヤ２４ｍ／ｍ
９    洋服汚れ防止ベニヤΦ９ｍ／ｍ
１０  ９取付けビス
【図１】
0003228764.tif 000003
【図２−１】
0003228764.tif 000004
【図２−２】
0003228764.tif 000005
【図３】
0003228764.tif 000006
【手続補正書】
【提出日】令和2年7月9日(2020.7.9)
【手続補正１】
【補正対象書類名】実用新案登録請求の範囲
【補正対象項目名】全文
【補正方法】変更
【補正の内容】
【実用新案登録請求の範囲】
【請求項１】
左右一対の電動モーターと、左右一対の回転チェーンと、左右一対の回転チェーンに平行に固定したハンガーポールからなり、平行なハンガーポールが左右一対のチェーンの回転に同期して回転することを特徴とした電動回転ハンガー。
(57)【要約】      （修正有）【課題】食品容器の枠材を簡単に強固に接着する枠の接着装置を提供する。【解決手段】枠の接着装置は、ホットメルト接着剤１を定量に吐出させるガンタイプの吐出機２と、ホットメルト接着材１の吐出口の下に、吐出された接着剤１を一時貯蔵する受け皿４と、一時貯蔵された接着剤１の加熱のためのヒーター５を受け皿４の裏面に設置する。【選択図】図２
0003228759.tif 000002
【実用新案登録請求の範囲】
【請求項１】
ホットメルト接着剤を定量に吐出させる手段と、吐出された接着剤を一時貯蔵する手段と、貯蔵された接着剤の加熱のためのヒーターを具備する手段を設置することを特徴とする枠の接着装置。
【考案の詳細な説明】
【技術分野】
【０００１】
本発明は、圧紙、経木（木材の薄板）または発泡樹脂製の薄板などを使用する弁当箱、菓子箱などの食品容器である折箱の枠材の両端部を接着して、枠を作成する装置に関する。
【背景技術】
【０００２】
従来から枠を作成する方法としては、金属製の針金を用いるステープル、ステッチャー、ホッチキス等を使用する方法がある。また各種の接着剤を塗布する方法（特許文献１、特開平１０−３４７７２号公報、特許文献２、特開２００１−１３８４１１号公報号公報）、また両面接着テープを使用する方法（特許文献３、特開２００１−７１３９５号公報）などが存在している。近年食品関係は、安全性のため食品容器内の金属の異物を検知する金属探知機を使用しているため、食品の折箱に金属製の針金のステープルなどは、混入する危険性があるため不適である。また、両面接着テープを使用する場合は、接着の強度を確保するために他の接着剤が必要になる。これらを改良した方法が求められている。
【０００３】
このため、本発明では、簡単に強固に接着する方法と装置を提供する。
【先行技術文献】
【特許文献】
【０００４】
【特許文献１】特開平１０−３４７７２号公報
【特許文献２】特開２００１−１３８４１１号公報
【特許文献３】特開２００１−７１３９５号公報
【考案の概要】
【考案が解決しようとする課題】
【０００５】
しかしながら、上述した機械、装置では、高価でもあり、上述した問題もある。本発明は、このような課題に鑑みてなされたものであり、簡単に強固に接着する装置を提供することを目的とする。
【課題を解決するための手段】
【０００６】
ホットメルト接着剤を定量に吐出させる手段と、吐出された接着剤を一時貯蔵する手段と、貯蔵された接着剤の加熱のためのヒーターを具備する手段を設置することを特徴とする接着装置であり、前記のホットメルト接着剤を定量に吐出させる手段として、ガンタイプの吐出機を使用し、アクチュエータにより引き金を動作させることを特徴とする接着装置である。
【考案の効果】
【０００７】
本発明は、枠を作成する方法として、簡単に強固に接着できるという利点がある。
【図面の簡単な説明】
【０００８】
【図１】本発明の枠材に接着剤を塗り付ける前の図である。
【図２】本発明の接着剤の吐出部の部分図である。
【図３】本発明の枠材を圧着している図である。
【図４】本発明のマチのある枠材の図である。
【図５】本発明のマチの無い枠材の図である。
【考案を実施するための形態】
【０００９】
つぎに、本発明にかかる実施例について具体的に説明する。
【実施例１】
【００１０】
図について述べる。図１において、ホットメルト接着剤１を定量に吐出させる手段として、ガンタイプの吐出機２を使用し、空圧作動のアクチュエータ３により引き金を動作させて、前記のホットメルト接着剤１を定量に貯蔵場である受け皿４に吐出させる。
【００１１】
図２において、吐出された接着剤１を一時貯蔵する受け皿４は、貯蔵された接着剤１の加熱のためにヒーター５を具備している。図１において、次に、枠材６を手に取り、その枠材６の片方、マチ９の無い方の端の下方を、前記の受け皿４の接着剤１に押し付けて、接着剤１を塗りつける。
【００１２】
図３において、その後、枠材６のマチ９を圧着装置７の受け板８に設置して、枠材のマチ９の無い方の端と合わせて後に、圧着装置７の動作により圧着する。圧着後に取り外せば、枠が完成する。
【００１３】
従来の接着装置においては、前記の吐出された接着剤１はすぐに冷えて硬化してしまう。この欠点を解決するため、ヒーターを具備し硬化を防ぐ手段を採用したことが、本発明の新しい考案である。
【００１４】
また本装置は、図に無いが、フットスイッチなどの起動装置により起動させると、吐出機1も圧着装置７も同時に動作する。一回目の起動では一回目の接着剤１を吐出させることが目的で、圧着装置７は空振りする。その後に枠材６に接着剤１を塗り付けてから、圧着装置７に設置し、二回目の起動を行い圧着し、枠材1は完成する。そして次のための接着剤１が吐出される。これを繰り返して行う。
【００１５】
図４は、枠材６である。図５はマチ９と呼ばれている圧着部分の無い枠で、これも接着可能である。
【００１６】
以上の如く本発明の装置は、非常に簡素で小型であるので安価に製造できる。
【００１７】
以上、本発明の実施の形態を説明したが、本発明の範囲は、これに限定されるものではなく、本発明の要旨を逸脱しない範囲において種々変更を加え得ることは勿論である。
【００１８】
なお、本発明は上述の発明を実施するための最良の形態に限らず本発明の要旨を逸脱することなくその他種々の構成を採り得ることはもちろんである。
【産業上の利用可能性】
【００１９】
本発明は、枠を作成する手段において、簡単に強固に接着するには最適な方法である。
【符号の説明】
【００２０】
１  接着剤
２  吐出機
３  アクチュエータ
４  受け皿
５  ヒーター
６  枠材
７  圧着装置
８  受け板
９  マチ
【図１】
0003228759.tif 000003
【図２】
0003228759.tif 000004
【図３】
0003228759.tif 000005
【図４】
0003228759.tif 000006
【図５】
0003228759.tif 000007
【手続補正書】
【提出日】令和2年8月6日(2020.8.6)
【手続補正１】
【補正対象書類名】実用新案登録請求の範囲
【補正対象項目名】全文
【補正方法】変更
【補正の内容】
【実用新案登録請求の範囲】
【請求項１】
ホットメルト接着剤を、定量に吐出させるガンタイプの吐出機と、ホットメルト接着剤の吐出口の下に、吐出されたホットメルト接着剤を一時貯蔵する受け皿と、一時貯蔵されたホットメルト接着剤が冷えて固まることを防ぐための加熱用のヒーターを、前記受け皿の裏面に配置することを特徴とする枠の接着装置。
(57)【要約】      （修正有）【課題】医療従事者等への飛沫飛散を防ぐための飛沫防止具を提供する。【解決手段】横たわる患者の顔の周囲に被せるように設置する飛沫防止具１であって、骨組みとなるアーチ状の複数のフレーム２と、患者の顔の周囲を覆うための透明ビニール幕体３と、該フレーム２の内側に該透明ビニール幕体３を吊り下げて取り付けするための留め具とを有し、複数の該フレーム２を順に内側に重ね合わせて対脚の両端をそれぞれ略扇支点状に組み付けて開動自在に接続し、さらには複数の該フレーム２に保持される該透明ビニール幕体３が蛇腹状に開閉する構成とし、また、該留め具は該フレーム２と該透明ビニール幕体３との間に係着して該透明ビニール幕体３を容易に取り外し交換できる仕組みとし、これらを一体に形成した。【選択図】図１
0003228736.tif 000002
【実用新案登録請求の範囲】
【請求項１】
横たわる患者の顔の周囲に被せるように設置する飛沫防止具であって、骨組みとなるアーチ状の複数のフレームと、患者の顔の周囲を覆うための透明ビニール幕体と、該フレームの内側に該透明ビニール幕体を吊り下げて取り付けするための留め具とを有し、複数の該フレームを順に内側に重ね合わせて対脚の両端をそれぞれ略扇支点状に組み付けて開動自在に接続し、さらには複数の該フレームに保持される該透明ビニール幕体が蛇腹状に開閉する構成とし、また、該留め具は該フレームと該透明ビニール幕体との間に係着して容易に該透明ビニール幕体を取り外し交換できる仕組みとし、これらを一体に形成したことを特徴とする飛沫防止具。
【考案の詳細な説明】
【技術分野】
【０００１】  本考案は、主に医療関係者の補助具に関し、詳しくは感染症予防対策に係る飛沫防止具に関する。
【背景技術】
【０００２】  新型コロナウイルスの感染拡大が社会問題となり、感染手段の一つとされる飛沫飛散に関しては、従来マスクの着用はもとより、フェイスシールドや、人との間に間仕切りを設置するなどの対策が一定の効果を上げている。【０００３】  以下は、今年に入って発表された工夫であり、国立大学法人浜松医科大学と協同組合ＨＡＭＩＮＧＵとの共同研究で、気管挿管時の飛沫（ひまつ）を防止する改良器具が紹介されている。
【先行技術文献】
【特許文献】
【０００４】
【非特許文献１】静岡新聞ＳＢＳ（２０２０．４．２５付）ｈｔｔｐｓ：／／ｗｗｗ．ａｔ−ｓ．ｃｏｍ／ｎｅｗｓ／ａｒｔｉｃｌｅ／ｈｅａｌｔｈ／ｓｈｉｚｕｏｋａ／７６０４８６．ｈｔｍｌ「飛沫防止の医療器具改良、気管挿管時の安全向上  浜松医科大など」
【考案の概要】
【考案が解決しようとする課題】
【０００５】  しかしながら、上述記事に記載する写真を見る限り、改良器具は簡易的なものであって構造改良の余地を残している。【０００６】  本考案は、上記従来有する問題点に鑑み、医療従事者等への飛沫飛散を防ぐための飛沫防止具を提供しようとするものである。
【課題を解決するための手段】
【０００７】  横たわる患者の顔の周囲に被せるように設置する飛沫防止具１であって、骨組みとなるアーチ状の複数のフレーム２と、患者の顔の周囲を覆うための透明ビニール幕体３と、該フレーム２の内側に該透明ビニール幕体３を吊り下げて取り付けするための留め具４とを有し、複数の該フレーム２を順に内側に重ね合わせて対脚の両端をそれぞれ略扇支点状に組み付けて開動自在に接続し、さらには複数の該フレーム２に保持される該透明ビニール幕体３が蛇腹状に開閉する構成とし、また、該留め具４は該フレーム２と該透明ビニール幕体３との間に係着して容易に該透明ビニール幕体３を取り外し交換できる仕組みとし、これらを一体に形成した。
【考案の効果】
【０００８】  本考案によれば、例えば救急車内などの狭い場所でも使用が可能であり、また、折りたむことが可能であることから、装備品として場所を取らないという利便性が期待できる。【０００９】  また、患者の顔付近を覆った透明ビニール幕体は、使用後、簡単に取り外して交換できることから、飛沫防止具の継続使用が可能であることから経済性が期待できる。【００１０】  また、器具構造が単純であることから、難しい知識を要することなく使用が可能である。
【考案を実施するための最良の形態】
【００１１】  以下、本考案の実施の形態について、図面を参照して説明する。
図１・図２・図３・図４に示すように、横たわる患者の顔の周囲に被せるように設置する飛沫防止具１であって、骨組みとなるアーチ状の複数のフレーム２と、患者の顔の周囲を覆うための透明ビニール幕体３と、該フレーム２の内側に該透明ビニール幕体３を吊り下げて取り付けするための留め具４とを有し、複数の該フレーム２を順に内側に重ね合わせて対脚の両端をそれぞれ略扇支点状に組み付けて開動自在に接続し、さらには複数の該フレーム２に保持される該透明ビニール幕体３が蛇腹状に開閉する構成とし、また、該留め具４は該フレーム２と該透明ビニール幕体３との間に係着して容易に該透明ビニール幕体３を取り外し交換できる仕組みとし、これらを一体に形成した。
【図面の簡単な説明】
【００１２】
【図１】本考案に於ける飛沫防止具の略外観を表す平面図である。
【図２】本考案に於ける飛沫防止具の透明ビニール幕体の吊持状態を表す図である。
【図３】本考案に於ける飛沫防止具の開閉形状の一例を表す側面図である。
【図４】本考案に於ける飛沫防止具の略使用例を表す試作品の写真である。
【符号の説明】
【００１３】  １    飛沫防止具
２    フレーム
３    透明ビニール幕体
４    留め具
【図１】
0003228736.tif 000003
【図２】
0003228736.tif 000004
【図３】
0003228736.tif 000005
【図４】
0003228736.tif 000006